(57)【要約】  チャネル品質情報ＣＱＩ変調シンボルと物理上りリンク共有チャネルＰＵＳＣＨ変調シンボルを第１のタイムスロットと第２のタイムスロットを有する割当サブフレームのリソースユニットにマッピングして少なくとも１つの無認証キャリアにおいて伝送する方法である。前記方法は、ＣＱＩ変調シンボルを割当サブフレームの第２のタイムスロットのリソースユニットにマッピングし、ここで、時間優先マッピング方式で第２のタイムスロットの第１のリソースユニットからＣＱＩ変調シンボルをマッピングすることと、ＰＵＳＣＨ変調シンボルを割当サブフレームの第１のタイムスロットと第２のタイムスロットの両者のリソースユニットにマッピングし、ここで、時間優先マッピング方式で第１のタイムスロットの第１のリソースユニットからＰＵＳＣＨ変調シンボルをマッピングすることとを含む。
2021515422.tif 000002
【特許請求の範囲】
【請求項１】
チャネル品質情報ＣＱＩ変調シンボルと物理上りリンク共有チャネルＰＵＳＣＨ変調シンボルを第１のタイムスロットと第２のタイムスロットを有する割当サブフレームのリソースユニットにマッピングして少なくとも１つの無認証キャリアにおいて伝送する方法であって、
前記ＣＱＩ変調シンボルを前記割当サブフレームの第２のタイムスロットのリソースユニットにマッピングし、ここで、時間優先マッピング方式で第２のタイムスロットの第１のリソースユニットから前記ＣＱＩ変調シンボルをマッピングすることと、
前記ＰＵＳＣＨ変調シンボルを前記割当サブフレームの第１のタイムスロットと第２のタイムスロットの両方のリソースユニットにマッピングし、ここで、時間優先マッピング方式で第１のタイムスロットの第１のリソースユニットから前記ＰＵＳＣＨ変調シンボルをマッピングすることとを含む
ことを特徴とする方法。
【請求項２】
時間優先マッピング方式で前記第１のタイムスロットの第１のリソースユニットから前記ＰＵＳＣＨ変調シンボルをマッピングするとともに、ＣＱＩマッピングのためのリソースユニットをジャンプする
ことを特徴とする請求項１に記載の方法。
【請求項３】
前記第２のタイムスロットの時間方向に追従してから、前記割当サブフレームの割り当てた周波数リソースの周波数方向に追従する時間優先マッピング方式を利用して前記ＣＱＩ変調シンボルをマッピングする
ことを特徴とする請求項１又は２に記載の方法。
【請求項４】
前記第１のタイムスロットと前記第２のタイムスロットの両方の時間方向に追従してから、前記割当サブフレームの割り当てた周波数リソースの周波数方向に追従する時間優先マッピング方式を利用して前記ＰＵＳＣＨ変調シンボルをマッピングする
ことを特徴とする請求項１〜３のいずれか１項に記載の方法。
【請求項５】
前記ＣＱＩ変調シンボルのリソースユニットの量を算出することをさらに含む
ことを特徴とする請求項１〜４のいずれか１項に記載の方法。
【請求項６】
前記ＣＱＩ変調シンボルを前記割当サブフレームの第２のタイムスロットのリソースユニットにマッピングし、ここで、マッピングするリソースユニットの量は、算出されたリソースユニットの量に等しい
ことを特徴とする請求項５に記載の方法。
【請求項７】
前記ＰＵＳＣＨ変調シンボルは、１つ伝送ブロックＴＢの１つ以上のコードブロックＣＢの変調シンボルを直列に接続して形成される
ことを特徴とする請求項１〜６のいずれか１項に記載の方法。
【請求項８】
チャネル品質情報ＣＱＩ変調シンボルと物理上りリンク共有チャネルＰＵＳＣＨ変調シンボルを第１のタイムスロットと第２のタイムスロットを有する割当サブフレームのリソースユニットにマッピングして少なくとも１つの無認証キャリアにおいて伝送する方法であって、
前記ＣＱＩ変調シンボルを前記割当サブフレームの第２のタイムスロットのリソースユニットにマッピングし、ここで、時間優先マッピング方式で第２のタイムスロットの第１のリソースユニットから前記ＣＱＩ変調シンボルをマッピングすることと、
前記ＰＵＳＣＨ変調シンボルを前記割当サブフレームの第１のタイムスロットと第２のタイムスロットの両方のリソースユニットにマッピングし、ここで、１つのＴＢの１つ以上のＣＢの変調シンボルによりＰＵＳＣＨ変調シンボルが形成され、ＰＵＳＣＨの各ＣＢの変調シンボルをマッピングするためのリソースユニット量が同じ又はほぼ同じであり、及び／又は、第１のタイムスロットにおいてＰＵＳＣＨの各ＣＢの変調シンボルをマッピングするためのリソースユニット量と第２のタイムスロットにおいてＰＵＳＣＨの各ＣＢの変調シンボルをマッピングするためのリソースユニット量とが同じ又はほぼ同じであることとを含む
ことを特徴とする方法。
【請求項９】
ＰＵＳＣＨの１つ以上のＣＢの変調シンボルに対して、
第２のタイムスロットの時間方向に追従してから、前記割当サブフレームの割り当てた周波数リソースの周波数方向に追従する時間優先マッピング方式と利用して各ＣＢの変調シンボルをマッピングし、
次に、第１のタイムスロットの時間方向に追従してから、前記割当サブフレームの割り当てた周波数リソースの周波数方向に追従する時間優先マッピング方式を利用して各ＣＢの他の変調シンボルをマッピングする
ことを特徴とする請求項８に記載の方法。
【請求項１０】
伝送のための第１の候補開始点の前に、周波数チャネルに対しＬＢＴ（Ｌｉｓｔｅｎ  Ｂｅｆｏｒｅ  Ｔａｌｋ）を実行することと、
チャネル利用可能であると確定された場合、前記第１の候補開始点から、前記割当サブフレームを伝送することと、
チャネル利用不可であると確定された場合、伝送のための第２の候補開始点の前に周波数チャネルに対してＬＢＴを実行し、チャネル利用可能であると確定された場合、前記第２の候補開始点から前記割当サブフレームを伝送することとをさらに含む
ことを特徴とする請求項８又は９に記載の方法。
【請求項１１】
伝送のための第１の候補開始点が時間領域において第１のタイムスロットの境界に位置し、伝送のために第２の候補開始点が時間領域において第２のタイムスロットの境界に位置する
ことを特徴とする請求項１０に記載の方法。
【請求項１２】
伝送のための第１の候補開始点が時間領域において第１のタイムスロットの境界に位置しなく、伝送のための第２の候補開始点が時間領域において第２のタイムスロットの境界に位置しない
ことを特徴とする請求項１０に記載の方法。
【請求項１３】
命令を含むコンピュータープログラムであって、
前記命令がモバイルコンピューティングデバイスにより実行されて、前記モバイルコンピューティングデバイスが請求項１〜１２のいずれか１項に前記の方法を実行する
ことを特徴とするコンピュータープログラム。
【請求項１４】
非一時的コンピューター読み取り可能な記憶媒体であって、
請求項１３に記載のコンピュータープログラムを記憶する
ことを特徴とする非一時的コンピューター読み取り可能な記憶媒体。
【請求項１５】
請求項１３に記載のコンピュータープログラムが含まれる
ことを特徴とする信号。
【請求項１６】
無線通信システムに応用されるユーザデバイスＵＥであって、
メモリと、プロセッサとを含み、
メモリには１つ以上のコンピュータープログラムが含まれ、プロセッサが当該コンピュータープログラムを実行する場合、請求項１〜１２のいずれか１項に記載の方法を実行する
ことを特徴とするユーザデバイスＵＥ。
【請求項１７】
無線通信システムに応用され、チャネル品質情報ＣＱＩ変調シンボルと物理上りリンク共有チャネルＰＵＳＣＨ変調シンボルを第１のタイムスロットと第２のタイムスロットを有する割当サブフレームのリソースユニットにマッピングして少なくとも１つの無認証キャリアにおいて伝送するユーザデバイスＵＥであって、
前記ユーザデバイスは、伝送／受信部と、メモリと、制御部を含み、
前記制御部は、前記ＣＱＩ変調シンボルをサブフレームの第２のタイムスロットのリソースユニットにマッピングし、時間優先マッピング方式で第２のタイムスロットの第１のリソースユニットから前記ＣＱＩ変調シンボルをマッピングし、前記ＰＵＳＣＨ変調シンボルを前記割当サブフレームの第１のタイムスロットと第２のタイムスロットの両方のリソースユニットにマッピングし、時間優先マッピング方式で第１のタイムスロットの第１のリソースユニットから前記ＰＵＳＣＨ変調シンボルをマッピングする構成される
ことを特徴とするユーザデバイスＵＥ。
【請求項１８】
前記制御部は、時間優先マッピング方式で前記第１のタイムスロットの第１のリソースユニットから前記ＰＵＳＣＨ変調シンボルをマッピングするとともに、ＣＱＩマッピングのためのリソースユニットをジャンプするように構成される
ことを特徴とする請求項１７に記載のユーザデバイスＵＥ。
【請求項１９】
前記制御部は、前記第２のタイムスロットの時間方向に追従してから、前記割当サブフレームの割り当てた周波数リソースの周波数方向に追従する時間優先マッピング方式を利用して前記ＣＱＩ変調シンボルをマッピングするように構成される
ことを特徴とする請求項１７又は１８に記載のユーザデバイスＵＥ。
【請求項２０】
前記制御部は、前記第１のタイムスロットと前記第２のタイムスロットの両方の時間方向に追従してから、前記割当サブフレームの割り当てた周波数リソースの周波数方向に追従する時間優先マッピング方式を利用して前記ＰＵＳＣＨ変調シンボルをマッピングするように構成される
ことを特徴とする請求項１７〜１９のいずれか１項に記載のユーザデバイスＵＥ。
【請求項２１】
前記制御部は、前記ＣＱＩ変調シンボルのリソースユニットの量を算出するように構成される
ことを特徴とする請求項１７〜２０のいずれか１項に記載のユーザデバイスＵＥ。
【請求項２２】
前記制御部は、前記ＣＱＩ変調シンボルを前記割当サブフレームの第２のタイムスロットのリソースユニットにマッピングするように構成され、
マッピングするリソースユニットの量は、算出されたリソースユニットの量に等しい
ことを特徴とする請求項２１に記載のユーザデバイスＵＥ。
【請求項２３】
前記ＰＵＳＣＨ変調シンボルは、１つ伝送ブロックＴＢの１つ以上のコードブロックＣＢの変調シンボルを直列に接続して形成される
ことを特徴とする請求項１７〜２２のいずれか１項に記載のユーザデバイスＵＥ。
【請求項２４】
無線通信システムに応用され、チャネル品質情報ＣＱＩ変調シンボルと物理上りリンク共有チャネルＰＵＳＣＨ変調シンボルを第１のタイムスロットと第２のタイムスロットを有する割当サブフレームのリソースユニットにマッピングして少なくとも１つの無認証キャリアにおいて伝送するユーザデバイスＵＥであって、
前記ユーザデバイスは、伝送／受信部と、メモリと、制御部とを含み、
前記制御部は、前記ＣＱＩ変調シンボルを前記割当サブフレームの第２のタイムスロットのリソースユニットにマッピングし、時間優先マッピング方式で第２のタイムスロットの第１のリソースユニットから前記ＣＱＩ変調シンボルをマッピングし、前記ＰＵＳＣＨ変調シンボルを前記割当サブフレームの第１のタイムスロットと第２のタイムスロットの両方のリソースユニットにマッピングするように構成され、１つのＴＢの１つ以上のＣＢの変調シンボルによりＰＵＳＣＨ変調シンボルが形成され、ＰＵＳＣＨの各ＣＢの変調シンボルをマッピングするためのリソースユニット量が同じ又はほぼ同じであり、及び／又は、第１のタイムスロットにおいてＰＵＳＣＨの各ＣＢの変調シンボルをマッピングするためのリソースユニット量と第２のタイムスロットにおいてＰＵＳＣＨの各ＣＢの変調シンボルをマッピングするためのリソースユニット量とが同じ又はほぼ同じである
ことを特徴とするユーザデバイスＵＥ。
【請求項２５】
前記制御部は、ＰＵＳＣＨの１つ以上のＣＢの変調シンボルに対して、
第２のタイムスロットの時間方向に追従してから、前記割当サブフレームの割り当てた周波数リソースの周波数方向に追従する時間優先マッピング方式を利用して各ＣＢの変調シンボルをマッピングし、
次に、第１のタイムスロットの時間方向に追従してから、前記割当サブフレームの割り当てた周波数リソースの周波数方向に追従する時間優先マッピング方式を利用して各ＣＢの他の変調シンボルをマッピングするように構成される
ことを特徴とする請求項２５に記載のユーザデバイスＵＥ。
【請求項２６】
前記制御部は、さらに、伝送のための第１の候補開始点の前に、周波数チャネルに対しＬＢＴ（Ｌｉｓｔｅｎ  Ｂｅｆｏｒｅ  Ｔａｌｋ）を実行するように構成され、
前記伝送／受信部は、前記制御部がチャネル利用可能であると確定した場合、前記第１の候補開始点から、前記割当サブフレームを伝送し、
前記制御部は、チャンネル利用不可であると確定した場合、伝送のための第２の候補開始点の前に、周波数チャネルに対してＬＢＴを実行し、前記制御部がチャネル利用可能であると確定した場合、前記伝送／受信部は、さらに、前記第２の候補開始点から前記割当サブフレームを伝送するように構成される
ことを特徴とする請求項１７〜２６のいずれか１項に記載のユーザデバイスＵＥ。
【請求項２７】
伝送のための第１の候補開始点が時間領域において第１のタイムスロットの境界に位置し、伝送のための第２の候補開始点が時間領域において第２のタイムスロットの境界に位置する
ことを特徴とする請求項２６に記載のユーザデバイスＵＥ。
【請求項２８】
伝送のための第１の候補開始点が時間領域において第１のタイムスロットの境界に位置しなく、伝送のための第２の候補開始点が時間領域において第２のタイムスロットの境界に位置しない
ことを特徴とする請求項２６に記載のユーザデバイスＵＥ。
【発明の詳細な説明】
【技術分野】
【０００１】
本発明は、一般に、上りリンク無線通信の分野に関し、より具体的には、上りリンク通信チャネル上の上りリンク制御情報ＵＣＩおよびユーザデータのマッピングに関する。より具体的には、本明細書の例示的な態様は、チャネル品質情報ＣＱＩ変調シンボルおよび複数の物理上りリンク共有チャネルＰＵＳＣＨ変調シンボルを、第１のタイムスロットおよび第２のタイムスロットを有するサブフレームにマッピングして、少なくとも１つの無認証キャリアで伝送するための方法とユーザデバイス（ＵＥ）に関する。
【背景技術】
【０００２】
最初、ＬＴＥは、特定の周波数範囲に対してオペレータが排他的なライセンスを持つことができるライセンススペクトル用に設計される。オペレーターはネットワークを計画して干渉条件を制御できるため、ライセンススペクトルには利点がありますが、通常、スペクトルライセンスの取得に関連するコストがかかり、ライセンススペクトルの量は限られる。
【０００３】
一方、無認証スペクトルは誰でも利用でき、最大送信電力などの一連のルールに従って、無料で使用できる。このスペクトルはだれでも利用できるため、通常、干渉状況はライセンススペクトルよりも予測が困難である。したがって、サービスの品質と可用性は保証できない。さらに、最大伝送電力は制限されており、多くの場合、広範囲のカバレッジには適していない。Ｗｉ−ＦｉとＢｌｕｅｔｏｏｔｈは、より低い周波数範囲（２.４ＧＨｚまたは５ＧＨｚ）で無認証スペクトルを利用する通信システムの２つの例である。
【０００４】
したがって、スペクトルの柔軟性を提供するために、ＬＴＥの進化によりモバイル通信ネットワークの動作が無認証スペクトルに拡張され、ライセンススペクトルを補完して、特にローカルエリアでより全体高いデータレートと大容量を提供する。１つのオプションは、ＬＴＥネットワークをＷｉ−Ｆｉで補完することですが、ライセンススペクトルと無認証スペクトルをより緊密に結合することで、より高い性能を実現できる。
【０００５】
したがって、ＬＴＥリリース１３では、ライセンス集約アクセス（ＬＡＡ）が導入された。キャリア集約フレームワークを使用して、主に５  ＧＨｚの範囲の無認証スペクトルの下りリンクキャリアを集約し、キャリアがライセンススペクトルにあっても良い。モビリティ、クリティカルコントロールシグナリング、および高品質のサービスを必要とするサービスは、ライセンススペクトルのキャリアに依存し、要求の低いサービス（少なくとも一部）は無認証スペクトルのキャリア処理を使用しても良い。
【０００６】
この背景で、リリース１３は、集約可能なキャリアの数を３２に増やし、下りリンクで最大帯域幅６４０ＭＨｚおよび理論上のピークデータレート約２５Ｇｂｉｔ／ｓになる。サブキャリアの数を増やす１つの動機は、このような無認証スペクトルで非常に大きな帯域幅を許可することである。これらの傾向は、新しい第５世代（５Ｇ）モバイル通信標準の開発で進化し続けている。
【０００７】
Ｎｅｗ  Ｒａｄｉｏ（ＮＲ）として知られる５Ｇ無線アクセス技術の重要な特徴は、無線アクセス技術を展開できるスペクトル範囲の大幅な拡張である。３.５  ＧＨｚなどのライセンススペクトルと５  ＧＨｚなどの無認証スペクトルをサポートするＬＴＥとは異なり、ＮＲは最初のリリースから１  ＧＨｚから５２.６  ＧＨｚまでのライセンススペクトル動作をサポートし、無認証スペクトルへの拡張も計画している。特に、ＮＲが扱う可能性のある一部の高周波数帯域は無認証である。
【０００８】
上記からわかるように、これらの２つのスペクトルタイプには異なる利点と欠点がある。したがって、これらを組み合わせて、ライセンススペクトルを使用して広域カバレッジとサービス品質保証を提供し、無認証スペクトルをローカルエリアの補足として使用して、カバレッジ全体、可用性、信頼性に影響を与えずにユーザーデータレートと全体容量を増加させることができる。
【０００９】
無認証スペクトルで動作する１つの機能は、無認証スペクトルを他のオペレーターや他のシステム（Ｗｉ−Ｆｉなど）と公平に共有することである。これを実現するために使用できるメカニズムがいくつかある。たとえば、動的周波数選択（ＤＦＳ）であり、ネットワークノード（例えば、ＤＦＳ対応のアクセスポイントを起動する）が、低負荷で無認証スペクトルの一部を検索して見つけ、可能であれば、他のシステムを回避できる。さらに、ＬＢＴ（Ｌｉｓｔｅｎ  Ｂｅｆｏｒｅ  Ｔａｌｋ）メカニズムは、伝送前にチャネル上で進行中の伝送がないことを送信機が保証するもう１つのメカニズムである。ＮＲの開発では、特にＬＢＴに依存して干渉を制御し、さまざまなオペレーター（ＬＴＥ、ＬＴＥ−Ａ、５Ｇデバイスなど）、Ｗｉ−Ｆｉデバイス、およびその他のシステム（レーダーなど）が無認証スペクトルのチャネルをデバイス間の公平な共有に使用できるようにする。
【００１０】
通常、無認証スペクトルで動作するデバイス（たとえば、無線基地局（ｅＮＢ）またはユーザデバイス（ＵＥ））は、特定のチャネルでＬＢＴを実行する必要がある。ＬＢＴメカニズムにより、デバイスはクリアチャネルアセスメント（ＣＣＡ）を適用して、チャネルでの伝送（つまり「トーク」）の前にチャネル内の他の伝送（つまり「リスニング」）を識別できる。たとえば、ＬＢＴには２つのタイプがある。ＬＢＴの第１のタイプでは、デバイスは、一定の時間にのみＣＣＡおよび/または伝送を実行する必要がある。特に、ＣＣＡは、タイムスロット（つまり、操作チャネルが他のデバイスの存在を確認する期間）の監視中に実行できる。
【００１１】
当該デバイスは、検出された他のデバイスの信号レベルに基づいて、チャネル上で動作している別のデバイスの存在を確認する必要がある可能性がある。このメカニズムはエネルギー検出と呼ばれる場合があり、通常、チャネルで動作する別のデバイスの検出信号レベルがエネルギー検出しきい値などの所定のしきい値を超えるかどうかを判断する必要がある。
【００１２】
検出された信号レベルが所定のしきい値を超える場合、デバイスはチャネルがビジーまたは使用不可であると判断し、伝送を実行しない。この状況は、ＬＢＴの失敗またはＬＢＴの故障と呼ばれる。デバイスが伝送の実行に失敗した場合、デバイスはチャネルが使用可能になるまでチャネルを継続的に監視しても良い。
【００１３】
チャネルが使用可能であると判断された場合（つまり、デバイスが所定のしきい値を超える別のデバイスの信号レベルを検出しない場合）、ＣＣＡメカニズムによりデバイスはすぐに伝送を開始できる。
【００１４】
ＬＢＴの第２のタイプでは、ＣＣＡを実行するときにデバイスにバックオフメカニズムがある。あるいは、チャネルが使用可能であると判断する前に、デバイスは一定量のＣＣＡスロットを監視する必要がある。ランダムな量のＣＣＡスロットの場合、デバイスのバックオフが必要になる場合がある（つまり、送信は実行しない）。ＣＣＡタイムスロットのランダムな量は、例えば、タイムスロットの整数倍であり、送信優先度に基づいて決定され得る。上述したように、ＣＣＡを実行するデバイスがチャネルが利用可能でないと判断する場合は、ＬＢＴの失敗またはＬＢＴの故障として説明することができる。ＬＢＴが失敗した場合、デバイスはチャネルが使用可能になるまでチャネルを継続的に監視してもよい。
【００１５】
ＣＣＡタイムスロットのランダムな量がクリアである場合、チャネルはクリア（利用可能）であり、デバイスは伝送を実行できる。逆に、ランダムな量のＣＣＡタイムスロットの少なくとも１つが不明確で、チャネルが利用できない場合、デバイスは伝送を実行できない。この状況は、ＬＢＴの失敗またはＬＢＴの故障とも呼ばれ、上記のように、デバイスは、ＣＣＡスロットのランダムな量がクリアされてチャネルが使用可能になるまで、チャネルをさらに（継続的に）監視できる。
【００１６】
図１は、本明細書の例示的な態様に従って、どのようにＬＢＴメカニズムを実行できるかを示す概略図である。時間ｔ０において、ＵＥ１１は、第１のタイプのＬＢＴを実行し、観測スロット１３ａの間にＣＣＡを実行し、無線アクセスポイント１２（Ｗｉ−Ｆｉデバイスの一例）がチャネル上で動作していないと判定する。チャネルが利用可能になると、ＵＥ  １１は、参照番号１４で示されるように、ＣＣＡメカニズムに従って時刻ｔ１でチャネル上で（無認証のキャリア上で）伝送する。
【００１７】
時間ｔ２で、ＵＥ１１は、第２のタイプのＬＢＴを実行するように指示され、無線アクセスポイント１２は、参照番号１５で示されるように、チャネル上で伝送を開始する。時間ｔ３において、ＵＥ１１は、タイムスロット１３ｂの観測中にＣＣＡを実行し、無線アクセスポイント１２がチャネル上で動作していると判定する。ＬＢＴが失敗した後、ＵＥ１１は、無線アクセスポイントがその送信を終了し、時間ｔ４でチャネルが利用可能になるまで、タイムスロット１３ｃ〜１３ｆの観測中にチャネルを継続的に監視する。
【００１８】
時間ｔ５において、ＵＥ１１は、観測スロット１３ｇの間にＣＣＡを実行し、無線アクセスポイント１２がチャネル上で動作しておらず、ランダムな期間１６に退却すると判定する。時間ｔ６において、ＵＥ１１は、観測スロット１３ｈの間に再びＣＣＡを実行し、チャネルがまだ利用可能であると決定する。したがって、時刻ｔ７で、ＵＥ１１は、参照番号１４で示されるように、チャネル上で（無認証のキャリア上で）伝送を開始する。
【発明の概要】
【発明が解決しようとする課題】
【００１９】
ＬＴＥ/ＮＲが無認証のキャリア/スペクトルに展開されると、１つのサブフレームで上りリンク制御情報（ＵＣＩ）とユーザーデータを物理上りリンク共有チャネル（ＰＵＳＣＨ）で伝送するようにＵＥがトリガーされる。たとえば、同じキャリアでのスケジュールされたＰＵＳＣＨ送信と重複する時間間隔中にＵＥが物理上りリンク制御チャネル（ＰＵＣＣＨ）でＵＣＩを送信する場合、ＵＥがＵＣＩをＰＵＳＣＨに多重化する可能性がある。したがって、ＵＥがＰＵＳＣＨ上で伝送している場合、ＵＣＩは、ＰＵＣＣＨ上の伝送ではなく、ライセンスのリソース（例えば、割り当てられたサブフレーム）上のデータと多重化される。
【００２０】
ＰＵＳＣＨまたはＰＵＣＣＨで伝送されるＵＣＩには、たとえば、ハイブリッド自動再送要求（ＨＡＲＱ）メカニズムのスケジューリング要求（ＳＲ）、肯定応答（ＡＣＫ）または否定応答（ＮＡＣＫ）、チャネル品質インジケータ、プリコーディングマトリックス、インジケータとランク指示の１つ以上が含まれる。
【００２１】
一般に、チャネル品質インジケータおよび/またはプリコーディング行列インジケータは、チャネル品質情報ＣＱＩとして表されてもよい。
【００２２】
上述したように、ＵＥが無認証とライセンススペクトルで動作するように構成されている場合、ＵＥは、一定時間（候補開始点）での伝送のために第１のタイプＬＢＴまたは第２のタイプＬＢＴを実行するように指示され得る。例として、無線フレームはサブフレームに構成された所定の数のタイムスロットを含むことができ、ＵＥはフレームの先頭のみ、サブフレームの先頭のみ、フレームの１つ以上の所定のタイムスロットのみでリッスンまたは伝送を実行する。
【００２３】
ＵＥがＰＵＳＣＨでＵＣＩを伝送するように構成されている場合、ＵＥは、最初の候補開始点がＬＢＴの失敗により失敗した場合、チャネル接続を改善するためにＰＵＳＣＨ送信の２つの候補開始点を持つことができる。候補開始点は、タイムスロットの境界、またはタイムスロット中の任意の点にある。
【００２４】
無認証スペクトルで動作する場合、スロットの境界だけでなく、タイムスロットの任意の時点でデータ送信を開始できる柔軟性があると有用である。特に、無認証のチャネルが使用可能になったら、別のデバイスがＰＵＳＣＨサブフレームで送信を開始するのを避けるために、１つのスロットの開始を待つ代わりに、すぐにまたは次のシンボル境界でＰＵＳＣＨ送信を開始することが有益な場合がある。逆に、伝送を実行するためにスロット境界の開始まで待機する必要がある場合、ＬＢＴ操作の成功の開始からタイムスロットの開始まで、何らかの形式のダミーデータまたは予約信号をチャネル上で送信する必要がある。したがって、この方法はシステムの伝送効率を低下させる可能性がある。
【００２５】
ＵＥがＰＵＳＣＨ上の１つのサブフレームでＵＣＩとユーザーデータを伝送するように構成されている場合、ＵＣＩはユーザーデータよりも高い優先度を持っていると考えられる。例として、実際の伝送が最初の候補点から開始するか、２番目の候補点から開始するかに関係なく、特定のサブフレームで送信される予定のＣＱＩは、常にサブフレームの２番目のスロットにマッピングされる。さらに、従来の原則に従って、ＣＱＩマッピングの完了後、ユーザーデータは第２のタイムスロットから（たとえば、変調シンボルの形式で）マッピングされ、第１のタイムスロットにマッピングされる必要がある。このマッピングにより、伝送の順序が決定される。
【００２６】
ＰＵＳＣＨでＰＵＳＣＨ情報ビットとして伝送されるデータは、伝送ブロック（ＴＢ）の形式でＵＥの上位層からＵＥの下位層に提供される。ＴＢは通常、１つ以上の小さなコードブロック（ＣＢ）に分割され、送信用にＴＢにデータをエンコードする際のメモリ要件を削減する。ＴＢには単一のＣＢを含めることもできる。ＣＢは通常、複数のＣＢが存在する場合、各ＣＢの少なくとも一部またはすべてのＣＢが正しく受信され、または、単一のＣＢが存在する場合は、ＣＢの少なくとも一部またはすべてのＣＢが正しく受信されるようにエンコードされる。
【００２７】
上記のタイプのＰＵＳＣＨマッピングの後、ＰＵＳＣＨが複数のＣＢを含むＴＢを搬送する場合、第２の候補開始点からの伝送の場合、サブフレームの最初のタイムスロットにのみマッピングされるＣＢ  完全に破棄される（つまり、送信されない）。その結果、１つまたは複数のＣＢが伝送されないため、ＵＥによって送信されたＴＢを受信する基地局（ｅＮＢ）は、ＴＢ全体をデコードできない場合がある。さらに、ＰＵＳＣＨが単一のＣＢを含むＴＢを搬送し、ＣＢがサブフレームの最初のタイムスロットにのみマッピングされる場合、２番目の候補開始点からの伝送の場合、ＴＢは完全に破棄される（送信されない）。
【００２８】
図２、３（ａ）、３（ｂ）は、ＴＢに３つのＣＢが含まれる場合のこの問題の例を示している。図の文字はマッピングシーケンスを表す。
【００２９】
特に、図２は、ＵＣＩ（ＣＱＩを使用する例）および複数のＰＵＳＣＨ  ＣＢ、ＣＢ＃０、ＣＢ＃１、およびＣＢ＃２のユーザーデータがサブフレームにマッピングされる方法を示す概略図である。従来の方法によれば、サブフレーム２０は、無認証のキャリアで送信するための第１のタイムスロット２１および第２のタイムスロット２２を有する。
【００３０】
なお、任意のＤＦＴ操作がある場合、示されているマッピングは、離散フーリエ変換（ＤＦＴ）が適用される前に実行される。具体的には、ＬＴＥ及び以降のシステムでは、従来のＣＱＩおよびＰＵＳＣＨ多重化送信には、たとえば次の処理ステップが含まれる。
【００３１】
ＣＱＩ情報ビットおよびユーザーデータは、それぞれＰＵＳＣＨ情報ビットの形式で符号化されて、ＣＱＩ符号化ビットおよびＰＵＳＣＨ符号化ビットを取得する。ＣＱＩ符号化ビットとＰＵＳＣＨ符号化ビットは、最初にＣＱＩ符号化ビットを配置し、次にビットストリームにＰＵＳＣＨ符号化ビットを配置することで多重化される。
【００３２】
ビットストリームは、多重化されたＣＱＩおよびＰＵＳＣＨ符号化ビットを含むビットストリームをチャネルインターリーバーに入力することによりスクランブルされる。チャネルインターリーバーは、上りストリームリソースグリッドのリソース要素に対応するリソース要素のマトリックスにビットストリームをマッピングする。したがって、リソースユニットマッピングに関連して、チャネルインターリーバーは、以下で説明するように、伝送波形への変調シンボルの時間優先マッピングを実現する。
【００３３】
チャネルインターリーバーの出力ビットは、変調シンボルを生成するために変調される。
【００３４】
複素数値シンボルは、変換プリコーダーを使用して離散フーリエ変換（ＤＦＴ）を変調シンボルに適用することにより生成される。
【００３５】
複素数値のシンボルをリソース要素にマッピングする。
【００３６】
したがって、示されているマッピングは、チャネルインターリーバーによって実行されるマッピングになる。
【００３７】
図示の例では、示されているマトリックスは、上りリンクリソースグリッドの一部であり、リソース要素（つまり、上りリンク送信に割り当てられる時間と周波数リソース）を含むサブフレーム２０に対応する。サブフレーム２０の各リソース要素は、示されているマトリックスの対応するリソースユニットによって表される。４Ｇおよび５Ｇ通信規格によれば、リソース要素（ＲＥ）は、周波数領域の１つのサブキャリアと時間領域の１つのＯＦＤＭシンボルで構成されるリソースグリッドの最小単位である。この例では、サブフレーム２０は２つのタイムスロット２１と２２を含むサブフレームであり、各スロットは時間領域で７シンボルと、周波数領域で１０サブキャリアまたはリソース要素を含む。上りリンク伝送に割り当てられる周波数リソースは、たとえばリソースブロック（ＲＢ）の整数倍である必要があり、１つのＲＢには周波数領域の１２個のサブキャリアまたはリソース要素が含まれる。ここでは、説明のみを目的として、周波数領域で１０個のサブキャリアを使用する。
【００３８】
図２に示されるように、ＰＵＳＣＨ復調基準信号（ＤＭＲＳ）２５は、各スロットの第４のシンボルのユーザリソースに割り当て伝送され、したがって、スロット２１および２２の両方に対し、ＤＭＲＳは、示されているマトリックスの各行の４番目のリソースユニットにマッピングされているように示される。したがって、ＣＱＩとユーザーデータのマトリックスをマッピングできるリソース要素の数（したがって、その後変調シンボルをマッピングできるリソース要素の数）は、１０  *  １２  =  １２０である。各リソースユニットにマッピングされるビットストリームのビット数は、その後生成される変調シンボルの変調次数に対応する。たとえば、変調次数が４の場合（つまり、１６ＱＡＭを使用）、４ビットが各リソース要素にマッピングされ、各リソース要素に後でマッピングされる１つの変調シンボルに対応する。
【００３９】
第１の候補開始点２３は、第１のタイムスロット２１の先頭（すなわち、時間領域における第１のタイムスロット２１の第１の境界）に位置し、第２の候補開始点２４は、第２のタイムスロット２２開始（つまり、時間領域の２番目のタイムスロット２２の最初の境界）に位置する。
【００４０】
この例におけるＣＱＩの形態のＵＣＩ２６は、最初に第２のタイムスロット２２の時間方向に従い、次に第２のタイムスロット２２の割り当てられた周波数リソースの周波数方向に従う時間優先マッピング（すなわち順序）で、第２のタイムスロット２２の第１のユニットからマッピングされる。この順番のＵＣＩマッピングの完了後（図２の例ではＣＱＩ_０、…、ＣＱＩ_１４の場合）、ＰＵＳＣＨ  ＣＢ、ＣＢ＃０、ＣＢ＃１、およびＣＢ＃２のＰＵＢＣＨ変調シンボル（この場合、４符号化ビットの単位）が第２のタイムスロット２２の時間方向に最初に従い、次に第２のタイムスロット２２の割り当てられた周波数リソースの周波数方向従う時間優先マッピング方式で、第２のタイムスロットの第１の利用可能リソースユニットからマッピングし、変調シンボルが第２のタイムスロット２２の各リソースユニットにマッピングされるまで実行される。図２の例では、次いで、ＣＢ＃１＿１０、…、ＣＢ＃２＿３４、ＰＵＳＣＨ  ＣＢ、ＣＢ＃０、ＣＢ＃１、およびＣＢ＃２の残りの変調シンボルについて、最初のタイムスロット２１の時間方向に従い、次いで、第１のタイムスロット２１の割り当てられた周波数リソースの周波数方向に従う時間優先マッピング方式で、ＰＵＳＣＨ  ＣＢ、ＣＢ＃０、ＣＢ＃１、ＣＢ＃２へのマッピングの全体が完了するまで、第１のタイムスロット２１の第１のリソースユニットからマッピングされる  。
【００４１】
図２に示すように、従来の方法によれば、第３のＰＵＳＣＨ  ＣＢ  ＣＢ＃２は第１のタイムスロット２１に完全にマッピングされる。
【００４２】
図３（ａ）および３（ｂ）は、図２の従来の方法に従ってＵＣＩおよびコードブロックをマッピングし、第２の候補開始点２４から伝送を開始する場合に、コードブロックＣＢ＃２全体を送信しないことが可能であることを示す図である。
【００４３】
特に、図３（ａ）は、タイムスロット１３の観測中にチャネルが使用可能であると判断された場合を示す。この例では、ＣＣＡメカニズムが使用されるため、第１のタイムスロット２１の伝送は、ランダムバックオフ期間なしで第１の候補開始点２３で開始される。しかし、図３（ｂ）に示すように、スロット１３の観測間にチャネルが利用できないと判定された場合、第１のタイムスロット２１にマッピングされたデータは伝送されない。後続の観測タイムスロット（図示せず）でチャネルが使用可能であり、第２の候補開始期間２４（のみ）に伝送が開始されたと判断された場合でも、送信は第２のタイムスロット２２からのみ開始される。その結果、第１のタイムスロットにマッピングされたデータは送信されない。
【００４４】
上述したように、第３のＰＵＳＣＨ  ＣＢ  ＣＢ＃２のすべてのユーザーデータは第１のタイムスロット２１にマッピングされる。したがって、第３のＰＵＳＣＨ  ＣＢ  ＣＢ＃２全体は受信およびデコードされない。広く使用されている多くのコーディング方式（例えば、ｔｕｒｂｏコーディングなど）では、ＴＢ全体が巡回冗長検査に合格できるように、すべてのＣＢを正しくデコードする必要があるため、１つのＣＢを送信しないと、ＴＢ全体が受信デバイスによって正しくデコードされない場合がある。図２、３（ａ）、および３（ｂ）の例は、複数のＣＢに分割されたＴＢに関連するこの問題を示しているが、この問題は、ＴＢが単一のＣＢを含む場合にも起こり得る。
【００４５】
したがって、当技術分野では、より良いマッピング方法を開発する必要がある。
【課題を解決するための手段】
【００４６】
本発明は、ＵＥが１つのＴＢの各ＣＢを、候補サブフレームの第１のタイムスロット（タイムスロット０）および第２のタイムスロット（タイムスロット１）の両方にマッピングできるようにするメカニズムをし、１つのＰＵＳＣＨ  ＴＢが複数のＣＢを含む場合に応用される。したがって、これらの強化されたマッピングメカニズムは、従来のシステムにおける上記の技術的な問題を解決する。
【００４７】
具体的に、以上のように、本願の発明者は、チャネル品質情報ＣＱＩ変調シンボルと物理上りリンク共有チャネルＰＵＳＣＨ変調シンボルを第１のタイムスロットと第２のタイムスロットを有する割当サブフレームのリソースユニットにマッピングして、少なくとも１つの無認証キャリアにおいて伝送する方法を提供する。前記方法は、ＣＱＩ変調シンボルを割当サブフレームの第２のタイムスロットのリソースユニットにマッピングし、ここで、時間優先マッピング方式で第２のタイムスロットの第１のリソースユニットからＣＱＩ変調シンボルをマッピングし、ＰＵＳＣＨ変調シンボルを割当サブフレームの第１および第２のタイムスロットの両方のリソースユニットにマッピングし、ここで、時間優先マッピング方式で第１のタイムスロットの第１のリソースユニットからＰＵＳＣＨ変調シンボルをマッピングする。
【００４８】
本願の発明者は、命令を含むコンピュータープログラムを提供し、モバイルコンピューティングデバイスにより実行されると、当該命令によりモバイルコンピューティングデバイスが上記の方法を実行する。
【００４９】
本願の発明者は、上記のコンピュータープログラムを記憶する非一時的コンピューター読み取り可能な記憶媒体を提供する。
【００５０】
本願の発明者は、コンピュータープログラムが含まれる信号を提供する。
【００５１】
本願の発明者は、無線通信システムに応用されるユーザデバイスＵＥを提供する。ユーザデバイスは、メモリとプロセッサを含む。メモリが１つ以上のコンピュータープログラムを記憶し、プロセッサにより実行されると、プロセッサが上記の方法に基づいて操作を実行する。
【００５２】
本願の発明者は、無線通信システムに応用されるユーザデバイスＵＥを提供する。ＰＵＳＣＨと物理上りリンク制御チャネルＰＵＣＣＨを同時に伝送しないＵＥは、チャネル品質情報ＣＱＩ変調シンボルと物理上りリンク共有チャネルＰＵＳＣＨ変調シンボルを第１のタイムスロットと第２のタイムスロットを有する割当サブフレームのリソースユニットにマッピングして少なくとも１つの無認証キャリアにおいて伝送する。ユーザデバイスは、伝送／受信部と、メモリと、制御部とを含む。制御部は、ＣＱＩ変調シンボルを割当サブフレームの第２のタイムスロットのリソースユニットにマッピングし、ここで、時間優先マッピング方式で第２のタイムスロットの第１のリソースユニットからＣＱＩ変調シンボルをマッピングし、ＰＵＳＣＨ変調シンボルを割当サブフレームの第１および第２のタイムスロットの両者のリソースユニットにマッピングし、ここで、時間優先マッピング方式で第１のタイムスロットの第１のリソースユニットからＰＵＳＣＨ変調シンボルをマッピングする。
【図面の簡単な説明】
【００５３】
次に、本発明の実施例を、添付の図面を参照して、非限定的な例として詳細に説明する。異なる図面に現れる同じ参照番号は、別段の指示がない限り、同じまたは機能的に類似した要素を示すことがあります。
【図１】本明細書の例示的な態様に従ってＬＢＴ機構をどのように実行できるかを示す概略図である。
【図２】ＣＱＩ変調シンボルおよびＰＵＳＣＨ変調シンボルが、従来の方法に従って少なくとも１つの無認証のキャリアで送信するための第１のおよび第２のタイムスロットを有する割り当てられたサブフレームのリソース要素にどのようにマッピングされるかを示す概略図である。
【図３ａ】ＵＣＩおよびコードブロックが図２の従来の方法に従ってマッピングされ、第２の候補開始点から送信される場合、ＰＵＳＣＨのコードブロック全体がどのように送信されないかを示す概略図である。
【図３ｂ】ＵＣＩおよびコードブロックが図２の従来の方法に従ってマッピングされ、第２の候補開始点から送信される場合、ＰＵＳＣＨのコードブロック全体がどのように送信されないかを示す概略図である。
【図４】本願の例示的な態様による無線通信システムの概略図である。
【図５】本明細書の例示的な態様において図４のユーザデバイスが、第１のおよび第２のタイムスロットを有する割り当てサブフレームのリソース要素にＣＱＩ変調シンボルおよびＰＵＳＣＨ変調シンボルをマッピングして少なくとも１つの無認証キャリアで伝送するプロセスのフローチャートである。
【図６ａ】本明細書の例示的な態様による、第１のおよび第２のタイムスロットを有する割り当てサブフレームのリソース要素にＣＱＩ変調シンボルおよびＰＵＳＣＨ変調シンボルをマッピングして少なくとも１つの無認証のキャリアでの送信する方法を示す模式図である。
【図６ｂ】本明細書の例示的な態様による、第１のおよび第２のタイムスロットを有する割り当てサブフレームのリソース要素にＣＱＩ変調シンボルおよびＰＵＳＣＨ変調シンボルをマッピングして少なくとも１つの無認証のキャリアでの送信する方法を示す模式図である。
【図６ｃ】本明細書の例示的な態様による、第１のおよび第２のタイムスロットを有する割り当てサブフレームのリソース要素にＣＱＩ変調シンボルおよびＰＵＳＣＨ変調シンボルをマッピングして少なくとも１つの無認証のキャリアでの送信する方法を示す模式図である。
【図６ｄ】本明細書の例示的な態様による、第１のおよび第２のタイムスロットを有する割り当てサブフレームのリソース要素にＣＱＩ変調シンボルおよびＰＵＳＣＨ変調シンボルをマッピングして少なくとも１つの無認証のキャリアでの送信する方法を示す模式図である。
【図７】本明細書の例示的な態様による、図４のユーザデバイス１００の例示的な信号処理ハードウェア構成を示すブロック図である。
【図８】本明細書の例示的な態様による、図４の無線基地局２００の例示的な信号処理ハードウェア構成を示すブロック図である。
【発明を実施するための形態】
【００５４】
以下、添付図面を参照して本発明の実施例を詳細に説明する。
【００５５】
図面の技術的特徴、詳細な説明または特許請求の範囲に参照番号が添付されている場合、参照番号は図面、詳細な説明および特許請求の範囲の明瞭性を高めるためにのみ使用される。したがって、参照マークの有無は、クレーム要素の範囲を制限するものではない。
【００５６】
図４は、本明細書の例示的態様による無線通信システム１０の概略図である。無線通信システム１０は、ユーザデバイス（ＵＥ）１００と無線基地局２００とを含む。ＵＥ１００は、無線基地局２００と無線通信を行う。この実施例のように、無線基地局２００は、ＬＴＥ−Ａ  ｅＮｏｄｅＢであってもよい。あるいは、無線基地局は、例えば、５Ｇ  ｇＮＢ（次世代ノードＢ）であってもよい。
【００５７】
無線基地局２００は、例えばビームフォーミングを介して、セル３００内のＵＥ１００に無線通信ネットワークへのアクセスを提供する。図１に示す例では、無線基地局２００は単一のＵＥ１００にサービスを提供する。しかしながら、代替実施例では、無線基地局２００は、複数のＵＥにサービスを提供することができる。
【００５８】
この実施例におけるように、ＵＥ１００（ＰＵＳＣＨおよびＰＵＣＣＨを同時に送信しないように構成され得る）は、ＰＵＳＣＨ上でＰＵＳＣＨ変調シンボルおよび／またはＵＣＩ（例えば、ＣＱＩ）変調シンボルの形態で、無線基地局２００にユーザデータおよび／またはＰＵＣＣＨ上でＵＣＩを無線基地局２００に送信する。この実施例のように、ＵＥ１００はまた、他のチャネルで無線基地局２００への伝送を実行し、および／または下りリンクチャネルで無線基地局２００によって送信された情報を受信するように構成され得る。
【００５９】
この実施例のように、ＵＣＩは、チャネル品質情報ＣＱＩ、例えば、１つ以上のチャネル品質インジケータおよび／または１つ以上のプリコーディング行列インジケータを含み得る。または、一例として、ＵＣＩは、ＳＲ、ＨＡＲＱ  ＡＣＫまたはＨＡＲＱ  ＮＡＣＫ、チャネル品質インジケータ、プリコーディング行列インジケータ、およびランク表示のうちの少なくとも１つを含み得る。
【００６０】
この実施例のように、ＵＥ１００は、制御部１１０、伝送／受信部１２０、およびメモリ１３０を含んでもよい。ＵＥ１００は、チャネル品質情報、ＣＱＩ、変調シンボル、およびＰＵＳＣＨ変調シンボルを、第１のおよび第２のタイムスロット２１、２２を有する割り当てられたサブフレーム２０のリソースユニットにマッピングすることができ（図６（ａ）から６（ｄ））、少なくとも１つの無認証キャリアにおいて伝送する。たとえば、マッピングされたＣＱＩ変調シンボルとＰＵＳＣＨ変調シンボルは、単一の無認証のキャリアで送信できる。あるいは、マッピングされたＣＱＩ変調シンボルとＰＵＳＣＨ変調シンボルは、複数の無認証のキャリアで送信できる。
【００６１】
一般に、この実施例のように、変調シンボル（例えば、ＵＣＩおよび/またはＣＢまたはＴＢのユーザーデータ）を割り当てサブフレーム２０にマッピングすることは、割り当てられたサブフレーム２０の少なくとも１つの周波数リソースを割り当てることを含み得る。周波数リソースは、リソースブロック（ＲＢ）の整数倍であり、たとえば、ＰＵＳＣＨの伝送時に使用される上りリンクリソースグリッド内の割り当てられたサブフレームのリソース要素ＲＥの整数倍を表す。割り当てられたサブフレームの割り当てられたリソース要素に対応するリソース要素の行列は、変調シンボルマッピング、たとえば、割り当てられたサブフレームの割り当てられたサブキャリアに対応する行列の行、および割り当てられたサブフレームの割り当てるデータシンボルに対応する行列の列である。一般に、変調シンボルがマッピングされていない場合及び／又はリソースユニットが特定の情報（ＤＭＲＳなど）のために保留されていない場合、リソースユニットは利用可能と見なす。
【００６２】
制御部１１０は、ＣＱＩ変調シンボルを割り当てサブフレーム２０の第２のタイムスロット２２のリソース要素にマッピングすることができ、ここで、ＣＱＩ変調シンボルは、時間優先マッピング方式で第２のタイムスロット２２の第１のリソースユニットからマッピングされる。この実施例のように、ＣＱＩ変調シンボルは、最初に第２のタイムスロット２２の時間方向に追従し、次に割り当てられたサブフレーム２０の割り当てられた周波数リソースの周波数方向に追従する時間優先マッピング方式でマッピングされてもよい。すなわち、ＣＱＩ変調シンボルのリソースの量は、第２のタイムスロット２２全体にわたってマッピングされる。
【００６３】
制御部１１０は、さらに、ＰＵＳＣＨ変調シンボルを割当サブフレームの第１および第２のタイムスロット２１、２２のリソースユニットにマッピングし、任意選択で、第１の時間優先マッピング方式と異なる第２の時間優先マッピング方式を利用する。
【００６４】
具体的に、この実施例のように、ＰＵＳＣＨ変調シンボルは、時間優先マッピング方式で第１のタイムスロットの第１のリソースユニットからマッピングされ、当該時間優先マッピング方式は、第１のおよび第２のタイムスロットの両方の時間方向に追従し、次に、割り当てられたサブフレームの割り当てられた周波数リソースの周波数方向に追従する。例えば、第２の時間優先マッピング方式は、第１のタイムスロットの第１のリソースユニットから始まり、まず、第１のおよび第２のタイムスロット２１、２２の両方の時間方向に追従し、その後、割り当てられたサブフレーム２０の割り当てられたリソース周波数の周波数方向に追従する順序（第２のタイムスロット２２でＵＣＩマッピングのリソース要素をスキップする）、つまり、サブフレーム全体にまたがる。第２の時間優先マッピングの他の好ましい実施例を以下に説明する。
【００６５】
無線基地局２００がＵＥ１００によって送信された１つまたは複数のＣＢのＣＱＩ変調シンボルおよびＰＵＳＣＨ変調シンボルを正しく復号できることを保証するために、ＵＥ１００の制御部１１０は、無線基地局２００に知られているマッピング方法を使用してＣＱＩ変調シンボルおよびＰＵＳＣＨ変調シンボルをサブフレーム２０にマッピングされる。例えば、この実施例のように、無線基地局は、ＵＥ１００が上りリンク送信を実行する前のある時間に、ＣＱＩ変調シンボルおよびＰＵＳＣＨ変調シンボルの第１の時間優先のマッピングと第２の時間優先のマッピングのマッピング情報をマッピングする情報をＵＥ１００に指示する。この実施例のように、無線基地局１００は、例えばＰＤＣＣＨでこの情報を伝送するように構成することができる。あるいは、無線基地局１００は、情報を送信するか、またはより高い層のシグナリングを使用するように構成することができる。さらに、無線基地局２００は、セル３００内のすべてのＵＥにマッピングするための第１の時間優先マッピングおよび第２の時間優先マッピングを示す情報を送信するように構成することができ、又は、セル３００内の各ＵＥについて、それぞれ異なる第１のおよび第２の時間優先マッピング情報をマッピングする情報を伝送する。
【００６６】
あるいは、無線基地局２００およびＵＥ１００は、当業者に知られている任意の適切な方法でＵＥ１００がマッピングを使用する方法を決定してもよい。
【００６７】
制御部１１０および伝送／受信部１２０は、例えば、図２に関して上述したものを含む、ＣＱＩ変調シンボルおよびＰＵＳＣＨ変調シンボルを伝送するために必要なさらなる処理を実行するように構成され得る。この実施例のように、伝送／受信部１２０は、ＣＱＩ変調シンボルおよびＰＵＳＣＨ変調シンボルがサブフレーム２０にマッピングされた後、ＰＵＳＣＨ上でＣＱＩ変調シンボルおよびＰＵＳＣＨ変調シンボルを送信するように構成されてもよい。
【００６８】
メモリ１３０は、当該情報を処理する前にＵＣＩおよびユーザデータを格納し、伝送前にＣＱＩ符号化ビットおよびＰＵＳＣＨ符号化ビットおよび／またはＣＱＩ変調シンボルおよびＰＵＳＣＨ変調シンボルを格納するように構成される。メモリ１３０は、制御部によって実行されると、制御部を上述のように動作させるコンピュータ命令を記憶するように構成することもできる。
【００６９】
図５は、本明細書の態様例による、図４のユーザ機器１００が、ＣＱＩ変調シンボルおよびＰＵＳＣＨ変調シンボルを、第１のタイムスロット２１および第２のタイムスロット２２を有する割り当てサブフレーム２０のリソース要素にマッピングして、少なくとも１つの無認証のキャリアにおいて伝送するプロセスのフロー図である。
【００７０】
図５のステップＳ１０において、ＵＥ１００の制御部１１０は、ＣＱＩ変調シンボルを割当サブフレーム２０の第２のタイムスロット２２のリソースユニットにマッピングし、ここで、ＣＱＩ変調シンボルは、時間優先マッピング方式で第２のタイムスロット２２の第１のリソースユニットからマッピングする。この文脈において、時間優先マッピング方式のマッピング情報は、最初にタイムスロットの時間方向に追従し、次に割り当てられたサブフレーム２０の割り当てられた周波数リソースの周波数方向に追従する順序のマッピング情報を含むことができる。この実施例のように、そのような時間優先マッピング方式は以下を含み得る。
【００７１】
情報の第１の部分（例えば、変調シンボルに対応して、例えば変調順番に基づいて、所定数のビットまたはバイトを選択することができる）を時間領域内のタイムスロットの第１の行の第１のリソースユニット（例えば、割当サブフレーム２０に割り当てた周波数領域の第１の（無認証）サブキャリアでのＲＥに対応する）にマッピングし、
情報の後続の各部分を、タイムドメインのタイムスロットの最初の行にある対応する後続のリソースユニットにマッピングし、及び
タイムスロットの最初の行の各リソース要素に他の情報にマッピングされた一部があると、サブドメイン２０の後続の各行について、時間領域のスロットの第１のリソースユニットから始まり、情報の一部を後続の行のタイムスロットの各リソースユニットにマッピングする。
【００７２】
マッピングは、情報の各部分がタイムスロットの対応するリソースユニットにマッピングされるまで、または情報の対応する部分がタイムスロットの各リソースユニットにマッピングされるまで続きる。さらに、マッピングは、サブフレーム２０のすべての行またはサブフレーム２０に関連する行のサブセットに対して実行できる。
【００７３】
この実施例では、各変調シンボルは、変調シンボルを送信するために使用される選択された変調方式に対応する複数のビットを含む。または、１つの変調シンボルを各リソースユニットにマッピングできる。
【００７４】
図５のステップＳ１２において、制御部１１０は、割り当てられたサブフレーム２０の第１のおよび第２のタイムスロット２１、２２の両方のリソース要素にＰＵＳＣＨ変調シンボルをマッピングする。
【００７５】
例えば、この実施例のように、第１のおよび第２のタイムスロット２１、２２の両方でのマッピングは、第２の時間優先マッピング方式で実行することができ、第２の時間優先マッピング方式は第１のとは異なる（ＣＱＩ変調シンボルのマッピングに使用）。時間優先マッピング方式で、第１のタイムスロットの第１のリソースユニットからＰＵＳＣＨ変調シンボルをマッピングし、当該時間優先マッピングは、最初に第１のおよび第２のタイムスロットの両方の時間方向に追従し、次に割り当てられたサブフレームの割り当てた周波数リソースの周波数方向に追従する。すなわち、第２の時間優先マッピングは、ＰＵＳＣＨ変調シンボルがサブフレーム２０全体にマッピングされるように、第１のおよび第２のタイムスロット２１、２２の時間方向およびサブフレーム２０の割り当てられた周波数リソースの周波数方向に追従し、  ＵＣＩマッピングのリソースユニットを同時にスキップする。
【００７６】
別の方式として、ＰＵＳＣＨ変調シンボルは、１つの伝送ブロックＴＢの１つ以上のコードブロックＣＢの変調シンボルを直列接続して形成する。
【００７７】
別の方式として、ＰＵＳＣＨ変調シンボルは、１ＴＢの１つ以上のＣＢ変調シンボルによって形成されてもよく、ＰＵＳＣＨの各ＣＢの変調シンボルをマッピングするために使用されるリソース要素の量は、同じまたはほぼ同じであってもよく、及び／又は、第１のタイムスロットでＰＵＳＣＨをマッピングするための各ＣＢの変調シンボルのリソース要素と、第２のタイムスロットでＰＵＳＣＨをマッピングするための各ＣＢの変調シンボルのリソース要素の量は同じまたはほぼ同じである。すなわち、各ＣＢについて、第２の時間優先マッピングは、最初に第２のタイムスロット２２の時間方向に追従し、次にサブフレーム２０の割り当てられた周波数リソースの周波数方向に追従し、次に第１のタイムスロット２１の時間方向に追従し、次に、サブフレーム２０の割り当てられた周波数リソースの周波数方向に追従する。
【００７８】
例えば、複数のＰＵＳＣＨ符号化ビットは、１つの伝送ブロックＴＢの１つ以上のＰＵＳＣＨコードブロックＣＢ（ＣＢ＃０、ＣＢ＃１、ＣＢ＃２）を形成し得る。すなわち、複数のＰＵＳＣＨ符号化ビットは、単一のＰＵＳＣＨ  ＣＢまたは１つのＴＢの複数のＰＵＳＣＨ  ＣＢを形成し得る。一般に、第１のおよび第２のタイムスロット２１、２２の両方へのマッピング情報（たとえば、複数のＰＵＳＣＨ  ＣＢのそれぞれのＰＵＳＣＨ符号化ビット）は、各ＰＵＳＣＨ  ＣＢについて、当該ＰＵＳＣＨ  ＣＢの部分データが第１のタイムスロット２１がマッピングされ、ＰＵＳＣＨ  ＣＢのデータの一部が第２のタイムスロット２２にマッピングされることを確保する。
【００７９】
一例として、情報を第１のおよび第２のタイムスロット２１、２２の両方にマッピングすることは、図５のステップＳ１０に関して上述したプロセスを変更して、サブフレーム２０に対応する行列の各行（  または、サブセット）に対して、情報の一部が当該行のサブフレーム２０の各リソースユニットにマッピングされることを含む（つまり、情報の一部が後続の行のリソース割り当てユニットにマッピングされる前に、情報の一部が第１のタイムスロット２１と第２のタイムスロット２２の両方の特定の行で使用可能な各リソース要素にマッピングする）。
【００８０】
追加または代替として、情報を第１のおよび第２のタイムスロット２１、２２の両方にマッピングすることは、図５のプロセスＳ１０に関して説明したマッピングプロセスを修正して、情報を交互に第１のタイムスロット２１と第２のタイムスロットに対応する列にマッピングすることを含む。一般に、交互とは、情報の一部が任意のタイムスロットのすべてのリソース要素にマッピングされる前に、送信される情報の一部が２つのタイムスロットにマッピングされることを意味する。
【００８１】
ＵＥ１００の制御部１１０は、ＰＵＳＣＨ変調シンボルを、ＣＱＩがマッピングされたまたはマッピングされたリソース要素にマッピングしないように構成されてもよい。
【００８２】
図５のプロセスは、各列のマッピングされたＵＣＩおよびＰＵＳＣＨ変調シンボルに対して離散フーリエ変換ＤＦＴ演算を実行するプロセスをさらに含むことができる。
【００８３】
追加または代替として、図５のプロセスは、ＵＣＩを第２のタイムスロットにマッピングする前に、ＣＱＩ変調シンボルのリソース要素の量を計算するプロセスをさらに含み得る。したがって、ＣＱＩ変調シンボルは、割り当てられたサブフレーム２０の第２のタイムスロット２２のリソース要素にマッピングすることができ、ここで、マッピングされたリソース要素の量は、算出されたリソース要素の量に等しい。
【００８４】
ＵＥ１００によって実行される動作の前述の説明から、ＰＵＳＣＨ変調シンボルを第１のおよび第２のタイムスロット２１、２２の両方に第２の時間マッピング方式でマッピングすることによって実行され、図５のプロセスにより、ＵＥ１００は、１つ以上のＣＢを含む所定のＴＢについて、候補サブフレーム２０の第１のタイムスロット２１および第２のタイムスロット２２の両方にＴＢの各ＣＢをマッピングすることが可能である。したがって、図５のプロセスは、前述の従来のシステムに関連する問題を解決できる。
【００８５】
具体的には、上記の例示的な実施例および以下に説明する他の実施例では、単一のＣＢまたは複数のＣＢを含む１つＰＵＳＣＨ  ＴＢに対して、ＵＥ  １００がＰＵＳＣＨ変調シンボルをマッピングできるように、１つのＴＢの各ＣＢを候補サブフレーム２０の第１のタイムスロット２１と第２のタイムスロット２２の両方にマッピングされるメカニズムが提供される。このメカニズムに基づいて、ＵＥ  １００が第１のタイムスロット２１でのチャネルアクセス失敗のために第２のタイムスロット２２でＰＵＳＣＨを伝送する必要がある場合、無線基地局２００は、各ＣＢを正しく復号することもでき、その理由として、ＣＢの少なくとも部分的な情報を受信することができる（いくつかの実施例では、ｅＮＢは、システム情報など、各ＣＢの重要な部分の情報を受信してもよい）。したがって、この場合、無線基地局２００は、ＰＵＳＣＨの復調に成功する可能性がある。
【００８６】
したがって、この実施例のように、ＵＥ１００は、チャネルが利用可能であると判断される場合、伝送のための第１の候補開始点より前に周波数チャネルに対するＬＢＴ（Ｌｉｓｔｅｎ  Ｂｅｆｏｒｅ  Ｔａｌｋ）を実行し、マッピングされたＰＵＳＣＨ及びマッピングされたＵＣＩを第１の候補開始点から送信するようにさらに構成されてもよい。また、チャネル利用不可であると確定された場合、ＵＥ１００は、第２の候補開始点の送伝送前に周波数チャネルに対する  ＬＢＴ（Ｌｉｓｔｅｎ  Ｂｅｆｏｒｅ  Ｔａｌｋ）を実行し、チャネル利用可能であると確定された場合、第２の候補開始点からマッピングされたＰＵＳＣＨ及びＵＣＩを送信することができる。
【００８７】
一例として、伝送のための第１の候補開始点は、時間領域における第１のタイムスロットの境界に位置し、伝送のための第２の候補開始点は、時間領域における第２のタイムスロットの境界に位置する。あるいは、伝送のための第１の候補開始点は、時間領域で第１のタイムスロットの境界に位置しなくてもよく、第２の候補開始点は、時間領域で第２のタイムスロットの境界に位置しなくてもよい。
【００８８】
図５のプロセス、ならびにその任意の追加および変形(ならびにしたがって、図６(ａ)〜図６(ｄ)に関して以下に論じられる任意のマッピング結果)は、任意の適切な手段によって実装され得る。例として、図５の手順はＵＥ１００によって実装され得る。あるいは、図５の処理は、コンピュータによって実行されると、コンピュータに図５の処理を実行させる命令を含むコンピュータプログラムによって実現されてもよい。このようなコンピュータプログラムは、非一時的なコンピュータ可読記憶媒体に記憶され、又は信号によって搬送され得る。更なる代替例として、図５のプロセスは、プロセッサ及びメモリを含むモバイルコンピューティングデバイスによって実装されてもよく、ここで、メモリは、プロセッサによって実行されると、プロセッサに図５のプロセスを実行させる命令を記憶するように構成される。
【００８９】
図６(ａ)〜(ｄ)は、本明細書の例示的態様による、ＣＱＩ変調シンボル２６およびＰＵＳＣＨ変調シンボルが、１つまたは複数の無認証のキャリアで伝送するために、第１のおよび第２のタイムスロット２１、２２を有する割り当てサブフレーム２０のリソースユニット上にどのようにマッピングされるかを示す概略図である。
【００９０】
図６(ａ)から図６(ｄ)の実施例のように、ＰＵＳＣＨ変調シンボルは、１つのＴＢの複数のＣＢ  ＣＢ＃０、ＣＢ＃１、ＣＢ＃２を形成し得る。しかしながら、これは限定ではなく、符号化ビットは、１つのＴＢの単一のＣＢを形成するか、又は当技術分野で知られている任意の他の適切な方法で編成され得る。
【００９１】
サブフレーム２０は、図６(ａ)から図６(ｄ)の実施例に示されるように、リソースユニットマトリックスによって表され、上りリンク送信に割り当てられることができる時間及び周波数リソースを含む上りリンクリソースグリッドの一部に対応する。例として、図６(ａ)〜(ｄ)の実施例のように、サブフレーム２０は、２つのタイムスロット２１および２２を含むサブフレームであり得、各タイムスロットは、時間領域において７つのシンボルと、周波数領域１０においてサブキャリアまたはリソース要素とを含む。
【００９２】
あるいは、サブフレームは、ＬＴＥ、ＬＴＥ−Ａ、ＵＭＴＳ、３Ｇ、４Ｇ、５Ｇを含むが、これらに限定されない、任意の電気通信規格のサブフレームであり得る。さらなる代替例として、サブフレーム２０は、３つ以上のスロットを含み得る。さらに、いくつかの実施例において、各タイムスロットは、時間領域において、２、４、７、１４個、または任意の他の適切な数のシンボルを含み得、および/または、各スロットは、周波数領域において、１２、２４個、または任意の他の適切な数のサブキャリアまたはリソース要素を含み得る。
【００９３】
図６(ａ)から図６(ｄ)の実施例のように、マッピングすることは、ＣＱＩ変調シンボル２６およびＰＵＳＣＨ変調シンボルをサブフレームのリソース要素ＲＥに対応するリソースユニットにマッピングすることを含み得る。あるいは、図６  (ａ)〜(ｄ)のマッピングは、限定ではないが、ＬＴＥ、ＬＴＥ−Ａ、ＵＭＴＳ、３Ｇ、４Ｇ、５Ｇを含む、任意の電気通信規格の割り当てサブフレームのリソース割り当てユニットを表すリソースユニット上へのＣＱＩ変調シンボル２６およびＰＵＳＣＨ変調シンボルのマッピングを可能にするように適合され得る。
【００９４】
また、図６（ａ）〜６（ｄ）の実施例のように、第１のおよび第２のタイムスロット２１、２２の境界に候補開始点２３、２４を配置してもよい。あるいは、候補開始点２３、２４は、スロットの間の任意のシンボルの境界に位置してもよい。あるいは、候補開始点２３、２４は、タイムスロット期間の任意の点に位置してもよい。
【００９５】
また、図６（ａ）〜６（ｄ）の実施例では、割り当てられた全ての周波数ＲＢについて、各タイムスロットの４番目のシンボル(すなわち、１スロット内のシンボル＃３)でＰＵＳＣＨ復調参照信号(ＤＭＲＳ)２５が伝送されるので、ＤＭＲＳは、スロット２１および２２の両方について、図示の行列の各行の４番目のリソースユニットにマッピングされるか、図示の行列はＤＭＲＳシンボルの列を含まない。すなわち、図６(ａ)〜(ｄ)の実施例のように、ＵＥ１００は、サブフレーム２０の各スロット２１、２２の第４のシンボル中に、すべての割り当てられたサブキャリア上でＰＵＳＣＨ  ＤＭＲＳを伝送するように構成される。あるいは、ＰＵＳＣＨ  ＤＭＲＳ２５は、すべての割り当てられたサブキャリアの各スロットのための第２のシンボルに、または任意の他の適切なシンボルおよび割り当てられたサブキャリアにマッピングされてもよい。
【００９６】
さらなる代替例として、図６(ａ)〜(ｄ)の実施例のように、ＵＣＩ２６は、ＣＱＩ  (チャネル品質インジケータおよび/またはプリコーディングマトリクスインジケータ)を含み得る。または、ＵＣＩ２６は、例えば、ＳＲ、ＨＡＲＱ  ＡＣＫまたはＨＡＲＱ  ＮＡＣＫ、チャネル品質インジケータ、プリコーディングマトリクスインジケータ、およびランクインジケータのうちの少なくとも１つを含む。また、図６(ａ)〜(ｄ)の実施例のように、ＤＦＴ操作を行う場合には、ＤＦＴ演算を行う前にマッピングを行ってもよい。
【００９７】
なお、ＣＱＩおよびＰＵＳＣＨマッピングには、割り当てられたサブフレームの割り当てられたリソース要素に対応するリソースユニットの行列が使用され、行列の行は割り当てられたサブフレームの割り当てられたサブキャリアに対応し、行列の列は割り当てられたサブフレームの第１のタイムスロット上の割り当てられたデータシンボルに対応すると仮定する。また、行列の列は、割り当てられたサブフレームの第１のタイムスロット上の割り当てられたデータシンボルに対応する第１の列のセットと、割り当てられたサブフレームの第２のタイムスロット上の割り当てられたデータシンボルに対応する第２の列のセットとを含む。
【００９８】
[例１のマッピング]
図６(ａ)は、この実施例における第１のマッピング結果の一例を示す図である。したがって、図４のＵＥ１００は、以下の実装によりマッピング結果を実現し得る。これらの実施は、以下の順序で適用されてもよく、又はいくつかの他の順序で適用されてもよく、又はこれらのいくつかが省略されてもよいことに留意されたい。
【００９９】
１）第１のステップによれば、ＵＥ１００は、ＣＱＩ２６のリソース量を計算する。図６(ａ)の実施例では、リソース量は１５個のリソースユニットＣＱＩ_０、...、ＣＱＩ_１４である。
【０１００】
２）その後、ＵＥ１００は、ＣＱＩ変調シンボル２６を、示された行列の第２の列集合２２のリソースユニット上にマッピングする。図６(ａ)に示すように、第１の列集合２２の第１の列の第１のリソースユニット(ＣＱＩ_０)から、第２の列集合２２の列に追従し、次に示す行列２０の行に追従する順にＣＱＩをマッピングすることができる。
【０１０１】
３）その後、ＵＥ１００は、ＰＵＳＣＨ  ＣＢのＰＵＳＣＨ変調シンボル(ここでは、ＣＢ＃０、ＣＢ＃１、ＣＢ＃２)を、示された行列のリソースユニットにマッピングする。第１の列集合の第１の列の第１のリソースユニット(ＣＢ＃０＿０)から、最初に示された行列２０の列、すなわち第１の列集合２１および第２の列集合２１全体に追従し、次いで示された行列２０の行に追従する順序でＰＵＳＣＨ変調シンボルがマッピングされる。
【０１０２】
マッピングがＣＱＩマッピングに使用されるべき/既に使用されているリソースユニットＣＱＩ_０、...、ＣＱＩ_１４に遭遇するとき、ＵＥ１００は、ＰＵＳＣＨマッピングを実行するとき、図６(ａ)に示すように、リソースユニットＣＱＩ_０、...、ＣＱＩ_１４をスキップする。
【０１０３】
[例２のマッピング]
図６(ｂ)は、この実施例による例２のマッピング結果の一例を示す図である。ＵＥ１００は、マッピング結果を以下の実装により実装し得る。これらの実施は、以下の順序で適用されてもよく、又はいくつかの他の順序で適用されてもよく、又はこれらのいくつかが省略されてもよいことに留意されたい。
【０１０４】
１）第１のステップによれば、ＵＥ１００は、ＣＱＩ２６のリソース量を計算する。図６(ｂ)の実施例では、リソース量は１５個のリソースユニットＣＱＩ_０...、ＣＱＩ_１４である。
【０１０５】
２）その後、ＵＥ１００は、ＣＱＩ変調シンボル２６を、示された行列の第２の列集合２２のリソースユニットにマッピングする。図６(ｂ)に示すように、第１の列集合２２の第１の列の第１のリソースユニット(ＣＱＩ_０)から、第２の列集合２２の列に追従し、次に示す行列２０の行に追従する順にＣＱＩをマッピングすることができる。
【０１０６】
３）そして、図６(ａ)に関して説明した例１のマッピング結果例とは逆に、ＵＥ１００は、各列集合２１、２２上(したがって、第１のおよび第２のタイムスロットのそれぞれ)の同一またはほぼ同一のリソース要素(複数のＲＥに対応する)を各ＣＢに割り当てるべき、または各列集合２１、２２間の同一の比率を各ＣＢについて維持するようにＰＵＳＣＨ  ＣＢをマッピングするべきリソース要素(複数のＲＥに対応する)の原理メカニズムに基づいて、複数のＰＵＳＣＨ  ＣＢの各ＣＢ  (ここで、ＣＢ＃０、ＣＢ＃１、ＣＢ＃２)のＰＵＳＣＨ変調シンボルのリソース量(ここで、ＣＢ＃０_０、...、ＣＢ＃０_３５、ＣＢ＃１_０、...、ＣＢ＃１_３５、ＣＢ＃２_０、...、ＣＢ２_３５)を計算することができる。
【０１０７】
このようなリソース計算は、ＣＱＩリソースＣＱＩ_０、...、ＣＱＩ_１４を排除すべきである。
【０１０８】
非限定的な例として、図６(ｂ)に示されるように、１５個のリソースユニットが、示される行列の第２の列集合２２において、それぞれＣＢ＃０、ＣＢ＃１、およびＣＢ＃２に割り当てられ、示される行列の第１の列集合２１において、それぞれＣＢ＃０、ＣＢ＃１、およびＣＢ＃２に２０個のリソースユニットが割り当てられる。
【０１０９】
４）そして、ＵＥは、ステップ３で算出されたリソース量に応じて、ＰＵＳＣＨ  ＣＢのＰＵＳＣＨ変調シンボル(ここでは、ＣＢ＃０、ＣＢ＃１、ＣＢ＃２)を、示された行列２０のリソースユニットにマッピングすることができる。ＰＵＳＣＨ  ＣＢのＰＵＳＣＨ変調シンボルに対して、ＰＵＳＣＨ  ＣＢのＰＵＳＣＨ変調シンボルは、各列集合２１、２２の算出されたリソース量にマッピングされ、各列集合２１、２２内で、最初に１つの列集合の列に追従し、次に、示された行列の行に追従する順序でマッピングが実行される。そのようなマッピングは、第１の列集合２１から開始してもよく、次に第２の列集合２２で開始してもよく、その逆でもよい。
【０１１０】
一般的には、ＵＥ１００は、次いで、ＰＵＳＣＨ  ＣＢ  ＣＢ＃０、ＣＢ＃１、ＣＢ＃２ごとに、最初に列の第２の集合２２の列に追従し、次いで、示される行列２０の行に追従し、次いで列の第１の集合２１の列に追従し、次いで示される行列２０の行に追従する第２の順序でＰＵＳＣＨ変調シンボルをマッピングすることによって、複数のＰＵＳＣＨ  ＣＢのＰＵＳＣＨ変調シンボルを第１のおよび第２のタイムスロット２１、２２の両方にマッピングすることができる。例として、ＵＥ１００は、この列集合の列に最初に追従し、次いで、示された行列の行に追従し、第２の列集合２２の１番の利用可能なリソースユニット(この例では、ＣＢ＃０_０)から始まる順序で、第１のおよび第２の列集合２１、２２の各々に対して、複数のＰＵＳＣＨ  ＣＢ  ＰＵＳＣＨ変調シンボルをマッピングする。
【０１１１】
この実施例のように、ＵＥ１００は、各列集合の(そして、各送信のためのスロット上の)同じまたはほぼ同数のリソースユニットが各ＣＢに割り当てられるように、ＰＵＳＣＨ  ＣＢ  ＣＢ＃０、ＣＢ＃１、ＣＢ＃２を第１のおよび第２の列集合２１、２２にマッピングすることができ、または、ＣＢ  ＣＢ＃０、ＣＢ＃１、ＣＢ＃２のそれぞれについて、行列２０の第１の列集合２１上で割り当てられる複数のリソースユニットの数と、行列２０の第２の列集合２２上で割り当てられるリソースユニットの数との同じ比率を維持することができる。
【０１１２】
非限定的な例として、図６(ｂ)に示すように、ＣＢ＃０、ＣＢ＃１、およびＣＢ＃２は、ＣＱＩ２６の後に、まず、示された行列２０の第２の列集合２２にマッピングされ、次いで、示された行列２０の第１の列集合２１にマッピングされ得る。そのようなマッピングは、伝送性能を向上させることができ、第２の列集合２２上のシステムビットの大部分をマッピングし、第２のタイムスロット２２にマッピングし、第２のタイムスロット２２が第１のタイムスロット２１よりも多くの伝送機会を有し、より高い送信確率を有する第２のタイムスロット２２にマッピングすることができるので、有利である。
【０１１３】
[例３のマッピング]
図６(ｃ)は、本発明の実施例における例３のマッピング結果の例を示す図である。ＵＥ１００は、マッピング結果を以下の実装により実装し得る。これらの実施は、以下の順序で適用されてもよく、又はいくつかの他の順序で適用されてもよく、又はこれらのいくつかが省略されてもよいことに留意されたい。
【０１１４】
１）第１のステップによれば、ＵＥ１００は、ＣＱＩ２６のリソース量を計算する。図６(ｃ)の実施例では、リソース量は１５個のリソースユニットＣＱＩ_０、...、ＣＱＩ_１４である。
【０１１５】
２）その後、ＵＥ１００は、ＣＱＩ変調シンボル２６を、示された行列２０の第２の列集合２２のリソースユニットにマッピングする。図６(ｃ)に示すように、第２の列集合２２の列に追従し、次に示す行列２０の行に追従する順序で、第２の列集合２２の第１の列の第１のリソースユニット(ＣＱＩ_０)からＣＱＩをマッピングすることができる。
【０１１６】
３）次いで、図６(ａ)および図６(ｂ)に関してそれぞれ上述した例１および例２のマッピング結果とは逆に、ＵＥ１００は、ＰＵＳＣＨ  ＣＢのＰＵＳＣＨ変調シンボル（ここで、ＣＢ＃０、ＣＢ＃１、ＣＢ＃２）が行列２０のリソースユニットにマッピングすることができ、ＰＵＳＣＨ  ＣＢ的ＰＵＳＣＨ変調シンボルがＣＱＩマッピングの後に、第２の列集合２２上の第１の列の第１のリソースユニットＣＢ＃０＿０からマッピングを開始し、その順番は、最初に示された行列２０の列に追従し、次に示された行列２０の行に追従する。
【０１１７】
４）第２の列集合２２の最後のリソースユニットＣＢ＃２＿１６のマッピングが完了した後、ＵＥは、ＰＵＳＣＨ  ＣＢ  ＣＢ＃０、ＣＢ＃１、ＣＢ＃２の複数のＰＵＳＣＨ変調シンボルのうちの残りのＰＵＳＣＨ変調シンボルを、この順序で、示された行列２０の第１の列集合２１の残りのリソースユニットＣＢ＃２＿１７、...  ＣＢ＃２_３４にマッピングし、マッピングが完了するまで第１の列集合２１の第１の列の第１のリソース要素ＣＢ  #  ２_１７から開始する。第１の列集合２１の残る利用可能なリソースＣＢ  #  ２_１７...、ＣＢ＃２_３４は、周波数領域においてＣＱＩ２６の前に、マッピングされた第２の列集合２２のリソースユニットの行に対応する
[例４のマッピング]
図６(ｄ)は、本発明の実施例における例４のマッピング結果の例を示す図である。ＵＥ１００は、マッピング結果を以下の実装により実装し得る。これらの実施は、以下の順序で適用されてもよく、又はいくつかの他の順序で適用されてもよく、又はこれらのいくつかが省略されてもよいことに留意されたい。
【０１１８】
１）第１のステップによれば、ＵＥ１００は、ＣＱＩ２６のリソース量を計算する。図６(ｂ)の実施例では、リソース量は１５個のリソースユニットＣＱＩ_０、...、ＣＱＩ_１４である
２）その後、ＵＥ１００は、ＣＱＩ変調シンボル２６を、示された行列２０の第２の列集合２２のリソースユニットにマッピングする。図６(ｄ)に示すように、第２の列集合２２の第１の列の第１のリソースユニット(ＣＱＩ_０)からＣＱＩ２６をマッピングし、まず第２の列集合２２の列に追従し、次に第２の列集合２２  /図示の行列２０の行の順に追従することができる。
【０１１９】
３）その後、ＵＥ１００は、この実施例のように、ＰＵＳＣＨ  ＣＢ  ＣＢ＃０、ＣＢ＃１、ＣＢ＃２のＰＵＳＣＨ変調シンボルを、示された行列２０のリソースユニットにマッピングし、ＵＣＩマッピング後の第２の列集合２２の第１の列の第１のリソースユニットから開始して、ＣＱＩマッピングの最後のリソースユニットを含む行上の各リソースユニットまでである。
【０１２０】
すなわち、ＵＥ１００は、候補サブフレーム２０上にＰＵＳＣＨ  ＣＢ  (ここでは、ＣＢ＃０、ＣＢ＃１、ＣＢ＃２)のＰＵＳＣＨ変調シンボルをマッピングし、ＰＵＳＣＨ  ＣＢ  ＣＢ＃０、ＣＢ＃１、ＣＢ＃２のＰＵＳＣＨ変調シンボルのマッピングは、まず、第２の列集合２２上でＣＱＩマッピングの行(すなわち、図６(ｄ)に示された行列２０のうちの１つの行であり、割り当てられた周波数リソースに対応する)を開始する(すなわち、ＰＵＳＣＨ  ＣＢ  (ここでは、ＣＢ＃０))。ＣＱＩマッピングの最後のリソースユニットＣＱＩ_１４の後、図６(ｄ)に示されるように、第２の列集合２２のその行上のすべてのリソースユニットが割り当てられるまで、それらの間に任意選択で復調基準信号(ＤＲＭＳ)を伴って、マッピングが直接開始される。図６(ｄ)の例では、このステップでＰＵＳＣＨ  ＣＢのＰＵＳＣＨ変調シンボルがリソース要素ＣＢ＃０＿０、ＣＢ＃０＿１、ＣＢ＃０＿２にマッピングされる。
【０１２１】
４）そして、ＵＥ１００は、次いで、第１の列集合２１の第１の列の第１のリソースユニットから、ＰＵＳＣＨ  ＣＢ  ＣＢ＃０、ＣＢ＃１、ＣＢ＃２のＰＵＳＣＨ変調シンボルを、第１の列集合２１および第２の列集合２２の利用可能なリソースユニットにマッピングし、順番は、最初に示された行列２０の列に追従し、次いで示された行列２０の行に追従することである。
【０１２２】
すなわち、第１の列群２１の第１の列の第１のリソースユニットＣＢ＃０３から、まず、行列２０の全体の列に追従し、次に、行列２０の行に追従する順序でマッピングが継続される。マッピングが利用可能でないリソースユニットに遭遇する場合、たとえば、ＣＱＩマッピングに使用されるべきＣＱＩ_０、...、ＣＱＩ_１４である場合、ＰＵＳＣＨマッピングは、リソースユニットをスキップするべきである。
【０１２３】
ＵＥ１００が実行する動作の説明から明らかなように、図６(ａ)〜図６(ｄ)のいずれかに示されるマッピングに従って、ＵＥ１００は、複数のＰＵＳＣＨ  ＣＢの各々のＰＵＳＣＨ変調シンボルを、示される行列２０の第１の列集合２１および第２の列集合２２の両方に(したがって、それぞれの第１のタイムスロット２１および第２のタイムスロット２２の両方に)マッピングすることによって、１つのＴＢの各ＣＢを、候補サブフレーム２０の第１のタイムスロット２１および第２のタイムスロット２２の両方にマッピングすることができ、１つのＰＵＳＣＨ  ＴＢが複数のＣＢを含む場合に伝送する。従来技術で述べたような問題を回避することができる。
【０１２４】
図７は、本明細書の例示的な実施例による、図４のユーザ装置１００の例示的な信号処理ハードウェア構成７００を示すブロック図である。この実施例のように、図７のプログラマブル信号処理ハードウェア７００は、図４のＵＥ１００として機能するように構成される。しかしながら、図４のＵＥ１００は、代わりに、非プログラム可能なハードウェア、例えば特定用途向け集積回路(ＡＳＩＣ)で、または任意の他の適切な方法で、ハードウェアおよびソフトウェア構成要素の任意の適切な組み合わせを使用して、ＵＥ１００が、非限定的に、ＬＴＥ、ＬＴＥ−Ａ、ＵＭＴＳ、３Ｇ、４Ｇ、５Ｇを含む１つまたは複数のレガシー電気通信規格に従って動作するために必要な処理および通信機能を含むように実装され得ることに留意されたい。
【０１２５】
プログラマブル信号処理ハードウェア７００は、伝送/受信部７１０と、１つ以上のアンテナ７０５とを含む。信号処理装置７００は、制御部(例えば、中央処理装置、ＣＰＵ又はグラフィック処理装置(ＧＰＵ))  ７２０と、作業メモリ７３０  (例えば、ランダムアクセスメモリ)と、コンピュータ可読命令を記憶する命令メモリ７４０とをさらに含み、制御部７２０によって実行されると、プロセッサ７２０に図４のＵＥ１００の機能を実行させる。
【０１２６】
命令メモリ７４０は、コンピュータ可読命令を予めロードしたＲＯＭ  (例えば、電気的消去可能プログラマブル読み出し専用メモリ(ＥＥＰＲＯＭ)またはフラッシュメモリの形態で)を含み得る。代替的に、命令メモリ７４０は、ＲＡＭ又は同様のタイプのメモリを含んでもよく、コンピュータプログラムのコンピュータ可読命令は、コンピュータプログラム製品(例えば、ＣＤ−ＲＯＭ、ＤＶＤ−ＲＯＭ等、又はコンピュータ可読命令を搬送するコンピュータ可読信号７６０の形態の非一時的コンピュータ可読記憶媒体７５０)から入力されてもよい。
【０１２７】
図８は、本明細書の例示的な実施例による、図４の無線基地局２００の例示的な信号処理ハードウェア構成８００を示すブロック図である。この実施例のように、図４のプログラマブル信号処理ハードウェア８００を、図４の無線基地局２００として機能するように構成してもよい。しかしながら、無線基地局２００は、代わりに、非プログラム可能なハードウェア、例えば、特定用途向け集積回路(AＳIC)で、又は、無線基地局２００が、ＬＴＥ、ＬＴＥ−Ａ、ＵＭＴＳ、３Ｇ、４Ｇ、５Ｇを含むがこれらに限定されない１つ以上のレガシー電気通信規格に従って動作するために必要な処理及び通信機能を含むように、任意の他の適切な方法で、ハードウェア及びソフトウェア構成要素の任意の適切な組み合わせを用いて実装され得ることに留意されたい。
【０１２８】
プログラマブル信号処理ハードウェア８００は、伝送/受信部８１０及び１つ以上のアンテナ８０５を含む。信号処理装置８００は、ネットワーク通信インターフェース８１５と、制御部(例えば、中央処理装置、ＣＰＵ、グラフィック処理装置ＧPU等のプロセッサ)  ８２０と、作業用メモリ８３０  (例えば、ランダムアクセスメモリ)と、コンピュータ可読命令を記憶する命令メモリ８４０とをさらに備え、制御部８２０によって実行されると、プロセッサ８２０に図４の無線基地局２００の機能を実行させる。
【０１２９】
命令メモリ８４０は、コンピュータ可読命令を予めロードしたＲＯＭ  (例えば、電気的消去可能プログラマブル読み出し専用メモリ(ＥＥＰＲＯＭ)またはフラッシュメモリの形態で)を含み得る。代替的に、命令メモリ８４０は、ＲＡＭまたは同様のタイプのメモリを含んでもよく、コンピュータプログラムのコンピュータ可読命令は、コンピュータプログラム製品(例えば、Cd−ＲＯＭ、ＤＶＤ−ＲＯＭ、または、コンピュータ可読命令を搬送するコンピュータ可読信号８６０の形態の非一時的コンピュータ可読記憶媒体８５０)から入力されてもよい。
【０１３０】
詳細な実施例が説明されたが、それらは、独立請求項によって定義される本発明のより良い理解を提供するためのものにすぎず、限定とみなされるべきではない。
【図１】
2021515422.tif 000003
【図２】
2021515422.tif 000004
【図３（ａ）】
2021515422.tif 000005
【図３（ｂ）】
2021515422.tif 000006
【図４】
2021515422.tif 000007
【図５】
2021515422.tif 000008
【図６（ａ）】
2021515422.tif 000009
【図６（ｂ）】
2021515422.tif 000010
【図６（ｃ）】
2021515422.tif 000011
【図６（ｄ）】
2021515422.tif 000012
【図７】
2021515422.tif 000013
【図８】
2021515422.tif 000014
【国際調査報告】
2021515422.tif 000015
2021515422.tif 000016
2021515422.tif 000017